(57)【要約】【課題】本発明は、各検出ブロックの取り得るパターンが異なることがあったとしても、部品の共通化を極力図ることができる電圧検出装置を提供する。【解決手段】電圧検出装置２０は、検出用端子Ｔ１〜Ｔ１１と、入力側接続部ＬＩ１〜ＬＩ１１と、中間接続部ＭＭ１〜ＭＭ１１と、入力側スイッチＳＷ１〜ＳＷ１１と、キャパシタ２１と、第１経路Ｋ１と、第２経路Ｋ２と、電圧検出部２３と、出力側スイッチ２２ａ，２２ｂと、ジャンパ３１〜３９とを備え、ジャンパ３１〜３９の設置個所により検出ブロックの取り得るパターンに対応した構成とされている。【選択図】      図１
2019090659.tif 000002
【特許請求の範囲】
【請求項１】
複数の電池モジュール（Ｂ１〜Ｂ１０）の直列接続体を有する組電池（１０）に適用される電圧検出装置（２０）において、
複数の前記電池モジュールが分割されることにより複数の検出ブロック（Ａ１〜Ａ７）が構成され、前記各検出ブロックが少なくとも１つの前記電池モジュールを含み、
複数の前記電池モジュールのうち最も低電位側の電池モジュール（Ｂ１）の負極端子及び最も高電位側の電池モジュール（Ｂ１０）の正極端子、並びに隣り合う前記電池モジュールのうち一方の正極端子と他方の負極端子との接続点それぞれに対応して個別に設けられた検出用端子（Ｔ１〜Ｔ１１）と、
前記各検出用端子に対応して個別に設けられ、前記検出用端子に電気的に接続された入力側接続部（ＬＩ１〜ＬＩ１１）と、
前記各入力側接続部に対応して個別に設けられ、前記入力側接続部と離間した位置に設けられた中間接続部（ＭＭ１〜ＭＭ１１）と、
前記各入力側接続部のうち前記検出ブロックの正，負極端子が電気的に接続された入力側接続部それぞれに対応して個別に設けられ、前記入力側接続部と、該入力側接続部に対応する前記中間接続部との間を開閉する入力側スイッチ（ＳＷ１〜ＳＷ１１）と、
キャパシタ（２１）と、
前記入力側スイッチに対応する前記中間接続部と前記キャパシタの第１端とを電気的に接続する経路を構成する第１経路（Ｋ１，ＫＭ１，ＫＳ１，ＫＬ１）と、
前記入力側スイッチに対応する前記中間接続部と前記キャパシタの第２端とを電気的に接続する経路を構成する第２経路（Ｋ２，ＫＭ２，ＫＳ２，ＫＬ２）と、
前記キャパシタの電圧に基づいて、前記検出ブロックの電圧を検出する電圧検出部（２３〜２５）と、
前記キャパシタと前記電圧検出部との間を開閉する出力側スイッチ（２２ａ，２２ｂ）と、
ジャンパ（３１〜３９，４１〜４６，５１〜５５，６１，６２等）と、を備え、
前記ジャンパの設置個所により前記検出ブロックの取り得るパターンに対応した構成とされている電圧検出装置。
【請求項２】
前記第１経路としての第１主経路（Ｋ１）が前記キャパシタの第１端に電気的に接続されており、
前記第２経路としての第２主経路（Ｋ２）が前記キャパシタの第２端に電気的に接続されており、
前記各中間接続部のうち最も低電位側から数えて３番目以降の中間接続部に対応して個別に設けられ、前記中間接続部と離間した位置に設けられた主接続部（ＬＭ１〜ＬＭ９）と、
前記各中間接続部のうち最も低電位側から数えて３番目以降の中間接続部（ＭＭ３〜ＭＭ１１）に対応して個別に設けられ、前記中間接続部と離間した位置に設けられた副接続部（ＬＳ１〜ＬＳ９）と、を備え、
前記各中間接続部のうち最も低電位側の中間接続部（ＭＭ１）と、前記各主接続部とのそれぞれが前記第１主経路に電気的に接続されており、
前記各中間接続部のうち最も低電位側の中間接続部から数えて２番目の中間接続部（ＭＭ２）と、前記各副接続部とのそれぞれが前記第２主経路に電気的に接続されており、
前記ジャンパ（３１〜３９，４１〜４６，５１〜５５）は、
前記各検出ブロックのうち最も低電位側から数えて偶数番目の検出ブロックの正極端子それぞれに対応する前記主接続部と、該主接続部に対応する前記中間接続部との間、及び、
前記各検出ブロックのうち最も低電位側から数えて奇数番目であってかつ３番目以降の検出ブロックの正極端子それぞれに対応する前記副接続部と、該副接続部に対応する前記中間接続部との間を電気的に接続している請求項１に記載の電圧検出装置。
【請求項３】
前記第１経路としての第１主入力側経路（ＫＭ１）と離間した位置に設けられ、前記キャパシタの第１端に電気的に接続された第１出力側経路（ＬＯ１）と、
前記第２経路としての第２主入力側経路（ＫＭ２）と離間した位置に設けられ、前記キャパシタの第２端に電気的に接続された第２出力側経路（ＬＯ２）と、
前記第１経路としての第１副入力側経路（ＫＳ１，ＫＬ１）と、
前記第２経路としての第２副入力側経路（ＫＳ２，ＫＬ２）と、を備え、
前記出力側スイッチは、前記第１出力側経路及び前記第２出力側経路それぞれに設けられ、
前記各中間接続部のうち最も低電位側から数えて奇数番目の中間接続部（ＭＭ１，ＭＭ３，ＭＭ５，ＭＭ７，ＭＭ９，ＭＭ１１）に前記第１主入力側経路が接続されており、
前記各中間接続部のうち最も低電位側から数えて偶数番目の中間接続部（ＭＭ２，ＭＭ４，ＭＭ６，ＭＭ８，ＭＭ１０）に前記第２主入力側経路が接続されており、
前記各検出ブロックの少なくとも１つが複数の前記電池モジュールの直列接続体であると仮定した場合における前記各検出ブロックのうち、最も高電位側から数えて奇数番目の検出ブロックの正極端子及び偶数番目の検出ブロックの負極端子に対応する前記中間接続部が前記第１副入力側経路に接続されており、
前記各検出ブロックの少なくとも１つが複数の前記電池モジュールの直列接続体であると仮定した場合における前記各検出ブロックのうち、前記最も高電位側から数えて奇数番目の検出ブロックの負極端子及び偶数番目の検出ブロックの正極端子に対応する前記中間接続部が前記第２副入力側経路に接続されており、
前記ジャンパ（６１，６２，７１，７２，８１，８２，９１，９２，１０１，１０２）は、
前記第１主入力側経路と前記第１出力側経路との間及び前記第２主入力側経路と前記第２出力側経路との間のそれぞれ、又は、
前記第１副入力側経路と前記第１出力側経路との間及び前記第２副入力側経路と前記第２出力側経路との間のそれぞれを電気的に接続している請求項１に記載の電圧検出装置。
【請求項４】
前記各検出ブロックが１つの前記電池モジュールであり、
前記ジャンパ（６１，６２，１０１，１０２）は、前記第１主入力側経路と前記第１出力側経路との間及び前記第２主入力側経路と前記第２出力側経路との間のそれぞれを電気的に接続している請求項３に記載の電圧検出装置。
【請求項５】
前記各検出ブロックのうち、最も低電位側の検出ブロック及び最も高電位側の検出ブロック以外の検出ブロックの少なくとも１つが、複数の前記電池モジュールの直列接続体であり、
前記ジャンパ（７１，７２，８１，８２，９１，９２）は、前記第１副入力側経路と前記第１出力側経路との間及び前記第２副入力側経路と前記第２出力側経路との間のそれぞれを電気的に接続している請求項３に記載の電圧検出装置。
【請求項６】
前記各検出ブロックの取り得るパターンとして、
前記各検出ブロックが１つの前記電池モジュールである第１パターンと、
前記各検出ブロックのうち、最も低電位側から数えて少なくとも２番目までの検出ブロック（Ａ１，Ａ２）が１つの電池モジュール（Ｂ１，Ｂ２）であり、かつ、最も低電位側から数えて少なくとも３番目の検出ブロック（Ａ３〜Ａ５）が複数の前記電池モジュール（Ｂ３〜Ｂ８）の直列接続体である第２パターンと、
前記各検出ブロックのうち、少なくとも最も低電位側の検出ブロック（Ａ１）が１つの電池モジュール（Ｂ１）であり、かつ、最も低電位側から数えて少なくとも２番目の検出ブロック（Ａ２〜Ａ４）が複数の前記電池モジュール（Ｂ２〜Ｂ８）の直列接続体である第３パターンと、があり、
前記第１経路としての第１主入力側経路（ＫＭ１）と離間した位置に設けられ、前記キャパシタの第１端に電気的に接続された第１出力側経路（ＬＯ１）と、
前記第２経路としての第２主入力側経路（ＫＭ２）と離間した位置に設けられ、前記キャパシタの第２端に電気的に接続された第２出力側経路（ＬＯ２）と、
前記第１経路としての第１副入力側経路（ＫＳ１）と、
前記第２経路としての第２副入力側経路（ＫＳ２）と、を備え、
前記出力側スイッチは、前記第１出力側経路及び前記第２出力側経路それぞれに設けられ、
前記各中間接続部のうち最も低電位側から数えて奇数番目の中間接続部（ＭＭ１，ＭＭ３，ＭＭ５，ＭＭ７，ＭＭ９，ＭＭ１１）に前記第１主入力側経路が接続されており、
前記各中間接続部のうち最も低電位側から数えて偶数番目の中間接続部（ＭＭ２，ＭＭ４，ＭＭ６，ＭＭ８，ＭＭ１０）に前記第２主入力側経路が接続されており、
前記各検出ブロックのパターンが前記第２パターンであると仮定した場合における前記各検出ブロック（Ａ１〜Ａ７）のうち、最も低電位側から数えて奇数番目であってかつ３番目以降の検出ブロック（Ａ３，Ａ５，Ａ７）の正極端子に対応する前記中間接続部（ＭＭ５，ＭＭ９，ＭＭ１１）が前記第１副入力側経路に電気的に接続されており、
前記各検出ブロックのパターンが前記第３パターンであると仮定した場合における前記各検出ブロック（Ａ１〜Ａ６）のうち、最も低電位側から数えて偶数番目の検出ブロック（Ａ２，Ａ４，Ａ６）の正極端子に対応する前記中間接続部（ＭＭ４，ＭＭ９，ＭＭ１１）が前記第１副入力側経路に電気的に接続されており、
前記各検出ブロックのパターンが前記第２パターンであると仮定した場合における前記各検出ブロック（Ａ１〜Ａ７）のうち、最も低電位側から数えて偶数番目の検出ブロック（Ａ２，Ａ４，Ａ６）の正極端子に対応する前記中間接続部（ＭＭ３，ＭＭ７，ＭＭ１０）が前記第２副入力側経路に電気的に接続されており、
前記各検出ブロックのパターンが前記第３パターンであると仮定した場合における前記各検出ブロック（Ａ１〜Ａ６）のうち、最も低電位側から数えて奇数番目であってかつ３番目以降の検出ブロック（Ａ３，Ａ５）の正極端子に対応する前記中間接続部（ＭＭ７，ＭＭ１０）が前記第２副入力側経路に電気的に接続されており、
前記ジャンパ（１１１，１１２，１２１〜１２４，１３１〜１３４）は、
前記第１主入力側経路と前記第１出力側経路との間、及び前記第２主入力側経路と前記第１出力側経路との間、
前記第１副入力側経路と前記第１出力側経路との間、前記第２副入力側経路と前記第１出力側経路との間、前記各中間接続部のうち最も低電位側から数えて２番目の中間接続部（ＭＭ２）と前記第１副入力側経路との間、及び前記各中間接続部のうち最も低電位側の中間接続部（ＭＭ１）と前記第２副入力側経路との間のそれぞれ、又は、
前記第１副入力側経路と前記第１出力側経路との間、前記第２副入力側経路と前記第２出力側経路との間、前記各中間接続部のうち最も低電位側から数えて２番目の中間接続部（ＭＭ２）と前記第２副入力側経路との間、及び前記各中間接続部のうち最も低電位側の中間接続部（ＭＭ１）と前記第１副入力側経路との間のそれぞれを電気的に接続している請求項１に記載の電圧検出装置。
【請求項７】
前記各検出ブロックのパターンが前記第１パターンであり、
前記ジャンパ（１１１，１１２）は、前記第１主入力側経路と前記第１出力側経路との間、及び前記第２主入力側経路と前記第１出力側経路との間のそれぞれを電気的に接続している請求項６に記載の電圧検出装置。
【請求項８】
前記各検出ブロックのパターンが前記第２パターンであり、
前記ジャンパ（１２１〜１２４）は、前記第１副入力側経路と前記第１出力側経路との間、前記第２副入力側経路と前記第２出力側経路との間、前記各中間接続部のうち最も低電位側から数えて２番目の中間接続部と前記第１副入力側経路との間、及び前記各中間接続部のうち最も低電位側の中間接続部と前記第２副入力側経路との間のそれぞれを電気的に接続している請求項６に記載の電圧検出装置。
【請求項９】
前記各検出ブロックのパターンが前記第３パターンであり、
前記ジャンパ（１３１〜１３４）は、前記第１副入力側経路と前記第１出力側経路との間、前記第２副入力側経路と前記第１出力側経路との間、前記各中間接続部のうち最も低電位側から数えて２番目の中間接続部（ＭＭ２）と前記第２副入力側経路との間、及び前記各中間接続部のうち最も低電位側の中間接続部（ＭＭ１）と前記第１副入力側経路との間のそれぞれを電気的に接続している請求項６に記載の電圧検出装置。
【発明の詳細な説明】
【技術分野】
【０００１】
本発明は、複数の電池モジュールの直列接続体を有する組電池に適用される電圧検出装置に関する。
【背景技術】
【０００２】
この種の電圧検出装置としては、特許文献１に見られるように、フライングキャパシタ方式のものが知られている。この装置により、複数の電池モジュールが分割されることにより構成された各検出ブロックの電圧が検出される。各検出ブロックは、少なくとも１つの電池モジュールを含む。特許文献１には、各検出ブロックの取り得るパターンが特定のパターンである場合に対応した電圧検出装置が開示されている。
【先行技術文献】
【特許文献】
【０００３】
【特許文献１】特許第５９５５５０７号公報
【発明の概要】
【発明が解決しようとする課題】
【０００４】
例えば電圧検出装置の仕様毎に、各検出ブロックの取り得るパターンが異なることがある。具体的には例えば、各検出ブロックが１つの電池モジュールとされていたり、各検出ブロックのうち一部の検出ブロックが複数の電池モジュールの直列接続体とされていたりすることがある。各検出ブロックの取り得るパターンが異なることがあったとしても、例えば電圧検出装置を構成する部品の種類が増大することを抑制する上では、異なるパターンそれぞれに対応した電圧検出装置において部品の共通化を図ることが要求される。
【０００５】
本発明は、各検出ブロックの取り得るパターンが異なることがあったとしても、部品の共通化を極力図ることができる電圧検出装置を提供することを主たる目的とする。
【課題を解決するための手段】
【０００６】
本発明は、複数の電池モジュールの直列接続体を有する組電池に適用される電圧検出装置において、複数の前記電池モジュールが分割されることにより複数の検出ブロックが構成され、前記各検出ブロックが少なくとも１つの前記電池モジュールを含み、複数の前記電池モジュールのうち最も低電位側の電池モジュールの負極端子及び最も高電位側の電池モジュールの正極端子、並びに隣り合う前記電池モジュールのうち一方の正極端子と他方の負極端子との接続点それぞれに対応して個別に設けられた検出用端子と、前記各検出用端子に対応して個別に設けられ、前記検出用端子に電気的に接続された入力側接続部と、前記各入力側接続部に対応して個別に設けられ、前記入力側接続部と離間した位置に設けられた中間接続部と、前記各入力側接続部のうち前記検出ブロックの正，負極端子が電気的に接続された入力側接続部それぞれに対応して個別に設けられ、前記入力側接続部と、該入力側接続部に対応する前記中間接続部との間を開閉する入力側スイッチと、キャパシタと、前記入力側スイッチに対応する前記中間接続部と前記キャパシタの第１端とを電気的に接続する経路を構成する第１経路と、前記入力側スイッチに対応する前記中間接続部と前記キャパシタの第２端とを電気的に接続する経路を構成する第２経路と、前記キャパシタの電圧に基づいて、前記検出ブロックの電圧を検出する電圧検出部と、前記キャパシタと前記電圧検出部との間を開閉する出力側スイッチと、ジャンパと、を備え、前記ジャンパの設置個所により前記検出ブロックの取り得るパターンに対応した構成とされている。
【０００７】
本発明によれば、ジャンパの設置個所により、各検出ブロックの正極端子及び負極端子それぞれに対応する入力側スイッチと、キャパシタとの接続態様の自由度を高めることができる。このため、各検出ブロックの取り得るパターンが異なることがあったとしても、電圧検出装置の部品の共通化を極力図ることができる。
【０００８】
なお、前記ジャンパの設置個所により前記検出ブロックの取り得るパターンに対応できる構成としては、具体的には例えば、以下の発明を採用することができる。その発明では、前記第１経路としての第１主経路が前記キャパシタの第１端に電気的に接続されており、前記第２経路としての第２主経路が前記キャパシタの第２端に電気的に接続されており、前記各中間接続部のうち最も低電位側から数えて３番目以降の中間接続部に対応して個別に設けられ、前記中間接続部と離間した位置に設けられた主接続部と、前記各中間接続部のうち最も低電位側から数えて３番目以降の中間接続部に対応して個別に設けられ、前記中間接続部と離間した位置に設けられた副接続部と、を備え、前記各中間接続部のうち最も低電位側の中間接続部と、前記各主接続部とのそれぞれが前記第１主経路に電気的に接続されており、前記各中間接続部のうち最も低電位側の中間接続部から数えて２番目の中間接続部と、前記各副接続部とのそれぞれが前記第２主経路に電気的に接続されており、前記ジャンパは、前記各検出ブロックのうち最も低電位側から数えて偶数番目の検出ブロックの正極端子それぞれに対応する前記主接続部と、該主接続部に対応する前記中間接続部との間、及び前記各検出ブロックのうち最も低電位側から数えて奇数番目であってかつ３番目以降の検出ブロックの正極端子それぞれに対応する前記副接続部と、該副接続部に対応する前記中間接続部との間を電気的に接続している。
【０００９】
また、前記ジャンパの設置個所により前記検出ブロックの取り得るパターンに対応できる構成としては、具体的には例えば、以下の発明を採用することもできる。その発明は、前記第１経路としての第１主入力側経路と離間した位置に設けられ、前記キャパシタの第１端に電気的に接続された第１出力側経路と、前記第２経路としての第２主入力側経路と離間した位置に設けられ、前記キャパシタの第２端に電気的に接続された第２出力側経路と、前記第１経路としての第１副入力側経路と、前記第２経路としての第２副入力側経路と、を備え、前記出力側スイッチは、前記第１出力側経路及び前記第２出力側経路それぞれに設けられ、前記各中間接続部のうち最も低電位側から数えて奇数番目の中間接続部に前記第１主入力側経路が接続されており、前記各中間接続部のうち最も低電位側から数えて偶数番目の中間接続部に前記第２主入力側経路が接続されており、前記各検出ブロックの少なくとも１つが複数の前記電池モジュールの直列接続体であると仮定した場合における前記各検出ブロックのうち、最も高電位側から数えて奇数番目の検出ブロックの正極端子及び偶数番目の検出ブロックの負極端子に対応する前記中間接続部が前記第１副入力側経路に接続されており、前記各検出ブロックの少なくとも１つが複数の前記電池モジュールの直列接続体であると仮定した場合における前記各検出ブロックのうち、前記最も高電位側から数えて奇数番目の検出ブロックの負極端子及び偶数番目の検出ブロックの正極端子に対応する前記中間接続部が前記第２副入力側経路に接続されており、前記ジャンパは、前記第１主入力側経路と前記第１出力側経路との間及び前記第２主入力側経路と前記第２出力側経路との間のそれぞれ、又は、前記第１副入力側経路と前記第１出力側経路との間及び前記第２副入力側経路と前記第２出力側経路との間のそれぞれを電気的に接続している。
【００１０】
また、前記ジャンパの設置個所により前記検出ブロックの取り得るパターンに対応できる構成としては、具体的には例えば、以下の発明を採用することもできる。その発明では、前記各検出ブロックの取り得るパターンとして、前記各検出ブロックが１つの前記電池モジュールである第１パターンと、前記各検出ブロックのうち、最も低電位側から数えて少なくとも２番目までの検出ブロックが１つの電池モジュールであり、かつ、最も低電位側から数えて少なくとも３番目の検出ブロックが複数の前記電池モジュールの直列接続体である第２パターンと、前記各検出ブロックのうち、少なくとも最も低電位側の検出ブロックが１つの電池モジュールであり、かつ、最も低電位側から数えて少なくとも２番目の検出ブロックが複数の前記電池モジュールの直列接続体である第３パターンと、があり、前記第１経路としての第１主入力側経路と離間した位置に設けられ、前記キャパシタの第１端に電気的に接続された第１出力側経路と、前記第２経路としての第２主入力側経路と離間した位置に設けられ、前記キャパシタの第２端に電気的に接続された第２出力側経路と、前記第１経路としての第１副入力側経路と、前記第２経路としての第２副入力側経路と、を備え、前記出力側スイッチは、前記第１出力側経路及び前記第２出力側経路それぞれに設けられ、前記各中間接続部のうち最も低電位側から数えて奇数番目の中間接続部に前記第１主入力側経路が接続されており、前記各中間接続部のうち最も低電位側から数えて偶数番目の中間接続部に前記第２主入力側経路が接続されており、前記各検出ブロックのパターンが前記第２パターンであると仮定した場合における前記各検出ブロックのうち、最も低電位側から数えて奇数番目であってかつ３番目以降の検出ブロックの正極端子に対応する前記中間接続部が前記第１副入力側経路に電気的に接続されており、前記各検出ブロックのパターンが前記第３パターンであると仮定した場合における前記各検出ブロックのうち、最も低電位側から数えて偶数番目の検出ブロックの正極端子に対応する前記中間接続部が前記第１副入力側経路に電気的に接続されており、前記各検出ブロックのパターンが前記第２パターンであると仮定した場合における前記各検出ブロックのうち、最も低電位側から数えて偶数番目の検出ブロックの正極端子に対応する前記中間接続部が前記第１副入力側経路に電気的に接続されており、前記各検出ブロックのパターンが前記第３パターンであると仮定した場合における前記各検出ブロックのうち、最も低電位側から数えて奇数番目であってかつ３番目以降の検出ブロックの正極端子に対応する前記中間接続部が前記第２副入力側経路に電気的に接続されており、前記ジャンパは、前記第１主入力側経路と前記第１出力側経路との間、及び前記第２主入力側経路と前記第１出力側経路との間、前記第１副入力側経路と前記第１出力側経路との間、前記第２副入力側経路と前記第１出力側経路との間、前記各中間接続部のうち最も低電位側から数えて２番目の中間接続部と前記第１副入力側経路との間、及び前記各中間接続部のうち最も低電位側の中間接続部と前記第２副入力側経路との間のそれぞれ、又は、前記第１副入力側経路と前記第１出力側経路との間、前記第２副入力側経路と前記第２出力側経路との間、前記各中間接続部のうち最も低電位側から数えて２番目の中間接続部と前記第２副入力側経路との間、及び前記各中間接続部のうち最も低電位側の中間接続部と前記第１副入力側経路との間のそれぞれを電気的に接続している。
【図面の簡単な説明】
【００１１】
【図１】第１実施形態に係る電源システムを示す図。
【図２】組電池の概要を示す図。
【図３】ジャンパによる接続態様の一例を示す図。
【図４】第２実施形態に係る電源システムを示す図。
【図５】入力側スイッチの操作態様に対応する検出ブロックを示す図。
【図６】第２実施形態に変形例に係る電源システムを示す図。
【図７】第３実施形態に係る電源システムを示す図。
【図８】入力側スイッチの操作態様に対応する検出ブロックを示す図。
【図９】第３実施形態に変形例に係る電源システムを示す図。
【図１０】第４実施形態に係る電源システムを示す図。
【図１１】第５実施形態に係る電源システムを示す図。
【図１２】第６実施形態に係る電源システムを示す図。
【図１３】第６実施形態の変形例１に係る電源システムを示す図。
【図１４】第６実施形態の変形例２に係る電源システムを示す図。
【図１５】第７実施形態に係る電源システムを示す図。
【図１６】第８実施形態に係る電源システムを示す図。
【図１７】第９実施形態に係る電源システムを示す図。
【発明を実施するための形態】
【００１２】
＜第１実施形態＞
以下、本発明に係る電圧検出装置を具体化した第１実施形態について、図面を参照しつつ説明する。本発明に係る電圧検出装置は、例えばハイブリッド自動車又は電気自動車に搭載される電源システムに適用される。
【００１３】
図１に示すように、電源システムは、組電池１０を備えている。組電池１０は、車両の図示しない走行用の回転電機を含む車載電気負荷の電力供給源となる。組電池１０は、単電池としての電池セルの直列接続体を備えており、端子間電圧が例えば数百Ｖとなるものである。電池セルとしては、例えば、リチウムイオン電池又はニッケル水素蓄電池等の蓄電池を用いることができる。
【００１４】
本実施形態では、組電池１０を構成する電池セルのうち、少なくとも２つの電池セルの直列接続体が一体化されることにより、電池モジュールが構成されている。組電池１０は、複数の電池モジュールを備えている。本実施形態において、各電池モジュールは、互いに同数の電池セルを備えており、定格電圧が互いに同一である。本実施形態では、説明の便宜上、組電池１０が１０個の電池モジュールを備えることとする。以降、本実施形態では、組電池１０を構成する電池モジュールのうち、最も低電位側の電池モジュールから順に、第１電池モジュールＢ１、第２電池モジュールＢ２、…、第１０電池モジュールＢ１０と称すこととする。
【００１５】
本実施形態において、第１〜第１０電池モジュールＢ１〜Ｂ１０それぞれが検出ブロックに相当する。本実施形態の検出ブロックの取るパターンは、第１パターンである。
【００１６】
図２に示すように、各電池モジュールＢ１〜Ｂ１０は、扁平な直方体状をなしている。各電池モジュールＢ１〜Ｂ１０は、互いに当接しつつ、一列に並んでいる。各電池モジュールＢ１〜Ｂ１０のうち、最も低電位側の第１電池モジュールＢ１と、最も高電位側の第１０電池モジュールＢ１０とには、板状のプレート部材Ｐが当接している。プレート部材Ｐは、例えば金属材料で構成されている。
【００１７】
図１の説明に戻り、電圧検出装置２０は、回路基板を備え、その回路基板には、第１〜第１１検出用端子Ｔ１〜Ｔ１１が設けられている。検出用端子Ｔ１〜Ｔ１１の数は、電池モジュールの数よりも１だけ多い。ｍを１〜１０までの整数とする場合、第ｍモジュールＢｍの負極端子には、第ｍ入力配線ＩＮｍを介して第ｍ検出用端子Ｔｍが接続されている。第ｍモジュールＢｍの正極端子には、第ｍ＋１入力配線ＩＮｍ＋１を介して第ｍ＋１検出用端子Ｔｍ＋１が接続されている。各入力配線ＩＮ１〜ＩＮ１１は、例えば、互いに電気的に絶縁された状態で一体化されてハーネス部材として構成されている。
【００１８】
電圧検出装置２０は、キャパシタ２１と、第１主経路Ｋ１と、第２主経路Ｋ２とを備えている。第１主経路Ｋ１及び第２主経路Ｋ２は、回路基板に形成されている。キャパシタ２１の第１端には、第１主経路Ｋ１が接続され、キャパシタ２１の第２端には、第２主経路Ｋ２が接続されている。キャパシタ２１は、回路基板に備えられ、具体的には例えば、回路基板の第１面又は第１面の裏面である第２面に実装されている。以降、第１面及び第２面を合わせて回路基板の表層と称すこととする。
【００１９】
電圧検出装置２０は、第１〜第１１検出用端子Ｔ１〜Ｔ１１に対応して個別に設けられた第１〜第１１入力側接続部ＬＩ１〜ＬＩ１１を備えている。第ｍ入力側接続部ＬＩｍには、第ｍ検出用端子Ｔｍが接続されている。第ｍ入力側接続部ＬＩｍは、回路基板に形成されている。
【００２０】
電圧検出装置２０は、第１〜第１１入力側接続部ＩＮ１〜ＩＮ１１に対応して個別に設けられた第１〜第１１中間接続部ＭＭ１〜ＭＭ１１を備えている。第ｍ中間接続部ＭＭｍは、回路基板において、第ｍ入力側接続部ＬＩｍと離間した位置に形成されている。
【００２１】
電圧検出装置２０は、第１〜第９主接続部ＬＭ１〜ＬＭ９を備えている。第１〜第９主接続部ＬＭ１〜ＬＭ９は、各中間接続部ＭＭ１〜ＭＭ１１のうち最も低電位側から数えて３番目以降の中間接続部ＭＭ３〜ＭＭ１１に対応して個別に設けられている。ｎを３〜１１１までの整数とする場合、回路基板において、第ｎ中間接続部ＭＭｎから離間した位置に第ｎ−２主接続部ＬＭｎ−２が形成されている。
【００２２】
電圧検出装置２０は、第１〜第９副接続部ＬＳ１〜ＬＳ９を備えている。第１〜第９副接続部ＬＳ１〜ＬＳ９は、各中間接続部ＭＭ１〜ＭＭ１１のうち最も低電位側から数えて３番目以降の中間接続部ＭＭ３〜ＭＭ１１に対応して個別に設けられている。回路基板において、第ｎ中間接続部ＭＭｎ及び第ｎ−２主接続部ＬＭｎ−２から離間した位置に第ｎ−２副接続部ＬＳｎ−２が形成されている。
【００２３】
各中間接続部ＭＭ１〜ＭＭ１１のうち最も低電位側の第１中間接続部ＭＭ１には、第１主経路Ｋ１が接続されている。各主接続部ＬＭ１〜ＬＭ９には、第１主経路Ｋ１が接続されている。第２中間接続部ＭＭ２と各副接続部ＬＳ１〜ＬＳ９とには、第２主経路Ｋ２が接続されている。
【００２４】
電圧検出装置２０は、第１，第２出力側スイッチ２２ａ，２２ｂと、電圧検出部としての差動増幅回路２３と、制御部１００とを備えている。差動増幅回路２３は、キャパシタ２１の端子電圧に基づいて、検出ブロックの端子電圧を検出する。差動増幅回路２３の反転入力端子側及び非反転入力端子側のうち、一方には、第１出力側スイッチ２２ａを介して第１主経路Ｋ１が接続されている。他方には、第２出力側スイッチ２２ｂを介して第２主経路Ｋ２が接続されている。なお、各出力側スイッチ２２ａ，２２ｂとして、例えば、一対のソース同士が接続されたＮチャネルＭＯＳＦＥＴ、フォトリレー又はリレーを用いることができる。
【００２５】
電圧検出装置２０は、第１〜第１１入力側スイッチＳＷ１〜ＳＷ１１を備えている。第ｍ入力側スイッチＳＷｍは、オン操作（閉操作）されることにより、第ｍ入力側接続部ＬＩｍと第ｍ中間接続部ＭＭｍとの間を電気的に接続する。一方、第ｍ入力側スイッチＳＷｍは、オフ操作（開操作）されることにより、第ｍ入力側接続部ＬＩｍと第ｍ中間接続部ＭＭｍとの間を電気的に遮断する。なお、各入力側スイッチＳＷ１〜ＳＷ１１として、例えば、一対のソース同士が接続されたＮチャネルＭＯＳＦＥＴ、フォトリレー又はリレーを用いることができる。
【００２６】
制御部１００は、各出力側スイッチ２２ａ，２２ｂと、各入力側スイッチＳＷ１〜ＳＷ１１とを操作する。
【００２７】
電圧検出装置２０は、第１〜第９ジャンパ３１〜３９を備えている。本実施形態では、各ジャンパ３１〜３９として、チップ状のものを用いている。本実施形態において、各ジャンパ３１〜３９は、回路基板の表層に実装されている。図１の破線は、表層にジャンパが実装されていないことを示す。以下、ジャンパの設置個所について説明する。
【００２８】
偶数番目の第２，第４，第６，第８，第１０電池モジュールＢ２，Ｂ４，Ｂ６，Ｂ８，Ｂ１０の正極端子それぞれに対応する第１，第３，第５，第７，第９主接続部ＬＭ１，ＬＭ３，ＬＭ５，ＬＭ７，ＬＭ９と、第１，第３，第５，第７，第９主接続部ＬＭ１，ＬＭ３，ＬＭ５，ＬＭ７，ＬＭ９に対応する第３，第５，第７，第９，第１１中間接続部ＭＭ３，ＭＭ５，ＭＭ７，ＭＭ９，ＭＭ１１との間は、第１，第３，第５，第７，第９ジャンパ３１，３３，３５，３７，３９により接続（短絡）されている。
【００２９】
第２，第４，第６，第８主接続部ＬＭ２，ＬＭ４，ＬＭ６，ＬＭ８と、第４，第６，第８，第１０中間接続部ＭＭ４，ＭＭ６，ＭＭ８，ＭＭ１０との間は、ジャンパにより接続されていないため、電気的に遮断されている。
【００３０】
奇数番目の第３，第５，第７，第９電池モジュールＢ３，Ｂ５，Ｂ７，Ｂ９の正極端子それぞれに対応する第２，第４，第６，第８副接続部ＬＳ２，ＬＳ４，ＬＳ６，ＬＳ８と、第４，第６，第８，第１０中間接続部ＭＭ４，ＭＭ６，ＭＭ８，ＭＭ１０との間は、第２，第４，第６，第８ジャンパ３２，３４，３６，３８により接続されている。
【００３１】
第１，第３，第５，第７，第９副接続部ＬＳ１，ＬＳ３，ＬＳ５，ＬＳ７，ＬＳ９と、第３，第５，第７，第９，第１１中間接続部ＭＭ３，ＭＭ５，ＭＭ７，ＭＭ９，ＭＭ１１との間は、ジャンパにより接続されていないため、電気的に遮断されている。
【００３２】
本実施形態では、第１中間接続部ＭＭ１及び第２中間接続部ＭＭ２それぞれに対応したジャンパは備えられていない。
【００３３】
ちなみに、図３に、回路基板の表層に形成された第３中間接続部ＭＭ３及び第１主接続部ＬＭ１それぞれが第１ジャンパ３１により接続されていることを示す。また、回路基板が多層基板の場合、各入力側接続部、各中間接続部、各主接続部、各副接続部、第１主経路Ｋ１及び第２主経路Ｋ２それぞれの少なくとも一部が、多層基板の内層に形成されていてもよい。ここで、内層とは、多層基板の一対の表層に挟まれた層のことである。
【００３４】
続いて、検出ブロックの電圧検出手法について説明する。
【００３５】
制御部１００は、検出対象となる検出ブロックを選択する。以下、検出ブロックとして第３電池モジュールＢ３が選択された場合を例にして説明する。
【００３６】
制御部１００は、まず、各出力側スイッチ２２ａ、２２ｂをオフ操作した状態で、選択した第３電池モジュールＢ３の正，負極端子に対応する第３，第４入力側スイッチＳＷ３，ＳＷ４をオン操作する。これにより、第３電池モジュールＢ３からキャパシタ２１に充電電流が流れる。
【００３７】
制御部１００は、第３，第４入力側スイッチＳＷ３，ＳＷ４をオフ操作に切り替え、その後各出力側スイッチ２２ａ，２２ｂをオン操作に切り替える。これにより、キャパシタ２１の端子電圧に応じた電圧が差動増幅回路２３から制御部１００に入力される。制御部１００は差動増幅回路２３の出力信号に基づいて、第３電池モジュールＢ３の端子電圧を算出する。
【００３８】
制御部１００は、第１〜第１０電池モジュールＢ１〜Ｂ１０の中から検出ブロックを順次選択しつつ、上述した電圧検出を実施する。なお、本実施形態において、差動増幅回路２３の検出レンジは、１つの電池モジュールの定格電圧に適したレンジに設定され、具体的には例えば、上記定格電圧又はその電圧よりもやや高い値に設定されている。
【００３９】
以上説明した本実施形態によれば、第１パターンに対応した入力側スイッチ及びジャンパが回路基板に実装されることにより、第１パターンに対応した電圧検出を実施できる。
【００４０】
＜第２実施形態＞
以下、第２実施形態について、第１実施形態との相違点を中心に図面を参照しつつ説明する。本実施形態では、図４に示すように、組電池１０を構成する検出ブロックとして、１つの電池モジュールと、２つの電池モジュールの直列接続体とが混在している。本実施形態の検出ブロックの取るパターンを第２パターンと称すこととする。図４において、先の図１に示した構成と同一の構成については、便宜上、同一の符号を付している。
【００４１】
第２パターンは、各電池モジュールＢ１〜Ｂ１０が第１〜第７検出ブロックＡ１〜Ａ７に分割されている。第１，第２検出ブロックＡ１，Ａ２は、第１，第２電池モジュールＢ１，Ｂ２である。第３検出ブロックＡ３は、第３，第４電池モジュールＢ３，Ｂ４の直列接続体であり、第４検出ブロックＡ４は、第５，第６電池モジュールＢ５，Ｂ６の直列接続体であり、第５検出ブロックＡ５は、第７，第８電池モジュールＢ７，Ｂ８の直列接続体である。第６，第７検出ブロックＡ６，Ａ７は、第９，第１０電池モジュールＢ９，Ｂ１０である。
【００４２】
ちなみに、第２パターンにおいて、低電位側及び高電位側の検出ブロックが１つの電池モジュールとされているのは、以下に説明する理由のためである。図２に示したように、各電池モジュールＢ１〜Ｂ１０のうち、端に位置する最も低，高電位側の第１，第１０電池モジュールＢ１，Ｂ１０の温度変化は、他の電池モジュールの温度変化よりも大きい。これは、例えば、第１，第１０電池モジュールＢ１，Ｂ１０がプレート部材Ｐに当接し、プレート部材Ｐが第１，第１０電池モジュールＢ１，Ｂ１０の熱を奪うためである。この場合において、端の電池モジュールを含む複数の電池モジュール単位で電圧検出を実施すると、端の電池モジュール１つについて電圧検出を実施する場合と比較して、端の電池モジュールの電圧検出精度が低下してしまう。こうした問題を回避するために、端に位置する検出ブロックそれぞれが１つの電池モジュールとされている。
【００４３】
本実施形態において、電源システムには、第４，第６，第８入力配線ＩＮ４，ＩＮ６，ＩＮ８が備えられていない。また、電源システムには、第４，第６，第８入力側スイッチＳＷ４，ＳＷ６，ＳＷ８が備えられていない。このため、第４，第６，第８入力側接続部ＬＩ４，ＬＩ６，ＬＩ８と第４中間接続部ＭＭ４，ＭＭ６，ＭＭ８との間が電気的に遮断されている。
【００４４】
制御部１００は、各出力側スイッチ２２ａ，２２ｂと、各入力側スイッチＳＷ１〜ＳＷ３，ＳＷ５，ＳＷ７，ＳＷ９〜ＳＷ１１とを操作する。なお、図５に、オン操作される入力側スイッチと、それに対応した検出ブロックとの関係を示す。また、本実施形態において、差動増幅回路２４の検出レンジは、２つの電池モジュールの直列接続体の定格電圧に適したレンジに設定され、具体的には例えば、この直列接続体の定格電圧又はその電圧よりもやや高い値に設定されている。
【００４５】
電圧検出装置２０は、第１〜第６ジャンパ４１〜４６を備えている。
【００４６】
第２，第４，第６検出ブロックＡ２，Ａ４，Ａ６の正極端子それぞれに対応する第１，第５，第８主接続部ＬＭ１，ＬＭ５，ＬＭ８と、第３，第７，第１０中間接続部ＭＭ３，ＭＭ７，ＭＭ１０との間は、第１，第３，第５ジャンパ４１，４３，４５により接続されている。
【００４７】
第２〜第４，第６，第７主接続部ＬＭ２〜ＬＭ４，ＬＭ６，ＬＭ７と、第４〜第６，第８，第９中間接続部ＭＭ４〜ＭＭ６，ＭＭ８，ＭＭ９との間は、ジャンパにより接続されていないため、電気的に遮断されている。
【００４８】
第３，第５，第７検出ブロックＡ３，Ａ５，Ａ７の正極端子それぞれに対応する第３，第７，第９副接続部ＬＳ３，ＬＳ７，ＬＳ９と、第５，第９，第１１中間接続部ＭＭ５，ＭＭ９，ＭＭ１１との間は、第２，第４，第６ジャンパ４２，４４，４６により接続されている。
【００４９】
第１，第２，第４〜第６，第８副接続部ＬＳ１，ＬＳ２，ＬＳ４〜ＬＳ６，ＬＳ８と、第３，第４，第６〜第８，第１０中間接続部ＭＭ３，ＭＭ４，ＭＭ６〜ＭＭ８，ＭＭ１０との間は、ジャンパにより接続されていないため、電気的に遮断されている。
【００５０】
以上説明した本実施形態によれば、第１パターンにも対応できる構成を流用して第２パターンに対応した電圧検出を実施できる。このため、電圧検出装置２０を構成する部品の共通化を図ることができる。
【００５１】
＜第２実施形態の変形例＞
図６に示すように、電圧検出装置２０が第１，第２差動増幅回路２３，２４を備えていてもよい。この場合、第３〜第５検出ブロックＡ３〜Ａ５が選択される場合に第２差動増幅回路２４が用いられ、第１，第２，第６，第７検出ブロックＡ１，Ａ２，Ａ６，Ａ７が選択される場合に第１差動増幅回路２３が用いられればよい。なお、図６において、先の図４に示した構成と同一の構成については、便宜上、同一の符号を付している。
【００５２】
ちなみに、図６に示す構成において、特許文献１に記載されているように、制御部１００は、第１差動増幅回路２３と第２差動増幅回路２４との差の絶対値が、予め定められた判定値を超えていると判定した場合、電圧検出装置２０に異常が生じている旨判定してもよい。
【００５３】
＜第３実施形態＞
以下、第３実施形態について、第１実施形態との相違点を中心に図面を参照しつつ説明する。本実施形態では、図７に示すように、組電池１０を構成する検出ブロックとして、１つの電池モジュールと、２つの電池モジュールの直列接続体と、３つの電池モジュールの直列接続体とが混在している。本実施形態の検出ブロックの取るパターンを第３パターンと称すこととする。なお、図７において、先の図１に示した構成と同一の構成については、便宜上、同一の符号を付している。
【００５４】
第３パターンは、各電池モジュールＢ１〜Ｂ１０が第１〜第６検出ブロックＡ１〜Ａ６に分割されている。第１検出ブロックＡ１は、第１電池モジュールＢ１である。第２検出ブロックＡ２は、第２，第３電池モジュールＢ２，Ｂ３の直列接続体であり、第３検出ブロックＡ３は、第４〜第６電池モジュールＢ４〜Ｂ６の直列接続体である。第４検出ブロックＡ４は、第７，第８電池モジュールＢ７，Ｂ８の直列接続体であり、第５，第６検出ブロックＡ５，Ａ６は、第９，第１０電池モジュールＢ９，Ｂ１０である。
【００５５】
本実施形態において、電源システムには、第３，第５，第６，第８入力配線ＩＮ３，ＩＮ５，ＩＮ６，ＩＮ８が備えられていない。また、電源システムには、第３，第５，第６，第８入力側スイッチＳＷ３，ＳＷ５，ＳＷ６，ＳＷ８が備えられていない。このため、第３，第５，第６，第８入力側接続部ＬＩ３，ＬＩ５，ＬＩ６，ＬＩ８と第３，第５，第６，第８中間接続部ＭＭ３，ＭＭ５，ＭＭ６，ＭＭ８との間が電気的に遮断されている。
【００５６】
制御部１００は、各出力側スイッチ２２ａ，２２ｂと、各入力側スイッチＳＷ１，ＳＷ２，ＳＷ４，ＳＷ７，ＳＷ９〜ＳＷ１１とを操作する。なお、図８に、オン操作される入力側スイッチと、それに対応した検出ブロックとの関係を示す。また、本実施形態において、差動増幅回路２５の検出レンジは、３つの電池モジュールの直列接続体の定格電圧に適したレンジに設定され、具体的には例えば、この直列接続体の定格電圧又はその電圧よりもやや高い値に設定されている。
【００５７】
電圧検出装置２０は、第１〜第５ジャンパ５１〜５５を備えている。
【００５８】
第２，第４，第６検出ブロックＡ２，Ａ４，Ａ６の正極端子それぞれに対応する第２，第７，第９主接続部ＬＭ２，ＬＭ７，ＬＭ９と、第４，第９，第１１中間接続部ＭＭ４，ＭＭ９，ＭＭ１１との間は、第１，第３，第５ジャンパ５１，５３，５５により接続されている。
【００５９】
第１，第３〜第６，第８主接続部ＬＭ１，ＬＭ３〜ＬＭ６，ＬＭ８と、第３，第５〜第８，第１０中間接続部ＭＭ３，ＭＭ５〜ＭＭ８，ＭＭ１０との間は、ジャンパにより接続されていないため、電気的に遮断されている。
【００６０】
第３，第５検出ブロックＡ３，Ａ５の正極端子それぞれに対応する第５，第８副接続部ＬＳ５，ＬＳ８と、第７，第１０中間接続部ＭＭ５，ＭＭ１０との間は、第２，第４ジャンパ５２，５４により接続されている。
【００６１】
第１〜第４，第６，第７，第９副接続部ＬＳ１〜ＬＳ４，ＬＳ６，ＬＳ７，ＬＳ９と、第３〜第６，第８，第９，第１１中間接続部ＭＭ３〜ＭＭ６，ＭＭ８，ＭＭ９，ＭＭ１１との間は、ジャンパにより接続されていないため、電気的に遮断されている。
【００６２】
以上説明した本実施形態によれば、第１，第２にも対応できる構成を流用して第３パターンに対応した電圧検出を実施できる。このため、電圧検出装置２０を構成する部品の共通化を図ることができる。
【００６３】
＜第３実施形態の変形例＞
図９に示すように、電圧検出装置２０が第１，第２，第３差動増幅回路２３，２４，２５を備えていてもよい。この場合、第３検出ブロックＡ３が選択される場合に第３差動増幅回路２５が用いられ、第２，第４検出ブロックＡ２，Ａ４が選択される場合に第２差動増幅回路２４が用いられ、第１，第５，第６検出ブロックＡ１，Ａ５，Ａ６が選択される場合に第１差動増幅回路２３が用いられればよい。なお、図９において、先の図７に示した構成と同一の構成については、便宜上、同一の符号を付している。
【００６４】
ちなみに、図９に示す構成において、第２実施形態の変形例で説明したような電圧検出装置２０の異常判定を実施してもよい。
【００６５】
＜第４実施形態＞
以下、第４実施形態について、第１実施形態との相違点を中心に図面を参照しつつ説明する。本実施形態では、図１０に示すように、ジャンパの設置数を減らす構成に変更する。図１０において、先の図１に示した構成と同一の構成については、便宜上、同一の符号を付している。本実施形態において、検出ブロックの取るパターンは第１パターンである。
【００６６】
電圧検出装置２０は、第１主入力側経路ＫＭ１と、第２主入力側経路ＫＭ２と、第１出力側経路ＬＯ１と、第２出力側経路ＬＯ２とを備えている。各経路ＫＭ１，ＫＭ２，ＬＯ１，ＬＯ２は、回路基板に形成されている。第１出力側経路ＬＯ１は、回路基板において、第１主入力側経路ＫＭ１と離間した位置に形成されている。第１出力側経路ＬＯ１には、キャパシタ２１の第１端が接続されている。第２出力側経路ＬＯ２は、回路基板において、第２主入力側経路ＫＭ２と離間した位置に形成されている。第２出力側経路ＬＯ２には、キャパシタ２１の第２端が接続されている。
【００６７】
第１出力側経路ＬＯ１のうち、キャパシタ２１との接続点よりも差動増幅回路２３側には、第１出力側スイッチ２２ａが設けられている。第２出力側経路ＬＯ２のうち、キャパシタ２１との接続点よりも差動増幅回路２３側には、第２出力側スイッチ２２ｂが設けられている。
【００６８】
電圧検出装置２０は、第１副入力側経路ＫＳ１と、第２副入力側経路ＫＳ２とを備えている。第１副入力側経路ＫＳ１及び第２副入力側経路ＫＳ２は、回路基板に形成されている。
【００６９】
各中間接続部ＭＭ１〜ＭＭ１１のうち最も低電位側から数えて奇数番目の第１，第３，第５，第７，第９，第１１中間接続部ＭＭ１，ＭＭ３，ＭＭ５，ＭＭ７，ＭＭ９，ＭＭ１１には、第１主入力側経路ＫＭ１が接続されている。
【００７０】
各中間接続部ＭＭ１〜ＭＭ１１のうち最も低電位側から数えて偶数番目の第２，第４，第６，第８，第１０中間接続部ＭＭ２，ＭＭ４，ＭＭ６，ＭＭ８，ＭＭ１０には、第２主入力側経路ＫＭ２が接続されている。
【００７１】
図１０に示すように、第２，第５，第９，第１１中間接続部ＭＭ２，ＭＭ５，ＭＭ９，ＭＭ１１には、第１副入力側経路ＫＳ１が接続されている。この接続態様は、図１１を参照して、各検出ブロックの取るパターンが第２パターンであると仮定した場合における各検出ブロックＡ１〜Ａ７のうち、最も高電位側から数えて奇数番目の検出ブロックＡ７，Ａ５，Ａ３，Ａ１の正極端子及び偶数番目の検出ブロックＡ６，Ａ４，Ａ２の負極端子に対応する中間接続部が第１副入力側経路ＫＳ１に接続されていることに相当する。
【００７２】
図１０に示すように、第１，第３，第７，第１０中間接続部ＭＭ１，ＭＭ３，ＭＭ７，ＭＭ１０には、第２副入力側経路ＫＳ２が接続されている。この接続態様は、図１１を参照して、各検出ブロックの取るパターンが第２パターンであると仮定した場合における各検出ブロックＡ１〜Ａ７のうち、最も高電位側から数えて奇数番目の検出ブロックＡ７，Ａ５，Ａ３，Ａ１の負極端子及び偶数番目の検出ブロックＡ６，Ａ４，Ａ２の正極端子に対応する中間接続部が第２副入力側経路ＫＳ２に接続されていることに相当する。
【００７３】
電圧検出装置２０は、第１ジャンパ６１及び第２ジャンパ６２を備えている。
【００７４】
第１主入力側経路ＫＭ１と第１出力側経路ＬＯ１との間は、第１ジャンパ６１により接続されている。第２主入力側経路ＫＭ２と第２出力側経路ＬＯ２との間は、第２ジャンパ６２により接続されている。なお、第１副入力側経路ＫＳ１と第１出力側経路ＬＯ１との間は、ジャンパにより接続されていないため、電気的に遮断されている。また、第２副入力側経路ＫＳ２と第２出力側経路ＬＯ２との間は、ジャンパにより接続されていないため、電気的に遮断されている。
【００７５】
以上説明した本実施形態によれば、ジャンパの設置数を減らしつつ、第１パターンに対応した電圧検出を実施できる。
【００７６】
＜第５実施形態＞
以下、第５実施形態について、第４実施形態との相違点を中心に図面を参照しつつ説明する。本実施形態では、図１１に示すように、第２パターンに対応したジャンパの設置態様に変更する。なお、図１１において、先の図１，図１０に示した構成と同一の構成については、便宜上、同一の符号を付している。
【００７７】
電圧検出装置２０は、第１ジャンパ７１及び第２ジャンパ７２を備えている。第１副入力側経路ＫＳ１と第１出力側経路ＬＯ１との間は、第１ジャンパ７１より接続されている。第２副入力側経路ＫＳ２と第２出力側経路ＬＯ２との間は、第２ジャンパ７２により接続されている。
【００７８】
なお、第１主入力側経路ＫＭ１と第１出力側経路ＬＯ１との間は、ジャンパにより接続されていないため、電気的に遮断されている。第２主入力側経路ＫＭ２と第２出力側経路ＬＯ２との間は、ジャンパにより接続されていないため、電気的に遮断されている。
【００７９】
以上説明した本実施形態によれば、第１パターンにも対応できる構成を流用して、ジャンパの設置数を減らしつつ、第２パターンに対応した電圧検出を実施できる。このため、電圧検出装置２０を構成する部品の共通化を図ることができる。
【００８０】
＜第５実施形態の変形例＞
図１１に示す構成において、先の図６に示したように、第１，第２差動増幅回路２３，２４が備えられていてもよい。
【００８１】
＜第６実施形態＞
以下、第６実施形態について、第５実施形態との相違点を中心に図面を参照しつつ説明する。本実施形態では、第１〜第３パターンに対応できる構成とする。特に本実施形態では、図１２に示すように、第３パターンに対応した構成とする。なお、図１２において、先の図９，図１０に示した構成と同一の構成については、便宜上、同一の符号を付している。また、本実施形態において、第１副入力側経路ＫＳ１を第１Ａ副入力側経路と称し、第２副入力側経路ＫＳ２を第１Ａ副入力側経路と称すこととする。
【００８２】
電圧検出装置２０は、第１Ｂ副入力側経路ＫＬ１と、第２Ｂ副入力側経路ＫＬ２とを備えている。第１Ｂ副入力側経路ＫＬ１及び第２Ｂ副入力側経路ＫＬ２は、回路基板に形成されている。
【００８３】
第１，第４，第９，第１１中間接続部ＭＭ１，ＭＭ４，ＭＭ９，ＭＭ１１には、第１Ｂ副入力側経路ＫＬ１が接続されている。この接続態様は、各検出ブロックの取るパターンが第３パターンであると仮定した場合における各検出ブロックＡ１〜Ａ６のうち、最も高電位側から数えて奇数番目の検出ブロックＡ６，Ａ４，Ａ２の正極端子及び偶数番目の検出ブロックＡ５，Ａ３，Ａ１の負極端子に対応する中間接続部が第１Ｂ副入力側経路ＫＬ１に接続されていることに相当する。
【００８４】
第２，第７，第１０中間接続部ＭＭ２，ＭＭ７，ＭＭ１０には、第２Ｂ副入力側経路ＫＬ２が接続されている。この接続態様は、各検出ブロックの取るパターンが第３パターンであると仮定した場合における各検出ブロックＡ１〜Ａ６のうち、最も高電位側から数えて奇数番目の検出ブロックＡ６，Ａ４，Ａ２の負極端子及び偶数番目の検出ブロックＡ５，Ａ３，Ａ１の正極端子に対応する中間接続部が第２Ｂ副入力側経路ＫＬ２に接続されていることに相当する。
【００８５】
電圧検出装置２０は、第１ジャンパ８１及び第２ジャンパ８２を備えている。
【００８６】
第１Ｂ副入力側経路ＫＬ１と第１出力側経路ＬＯ１との間は、第１ジャンパ８１により接続されている。第２Ｂ副入力側経路ＫＬ２と第２出力側経路ＬＯ２との間は、第２ジャンパ８２により接続されている。
【００８７】
以上説明した本実施形態によれば、第１，第２パターンにも対応できる構成を流用して、ジャンパの設置数を減らしつつ、第３パターンに対応した電圧検出を実施できる。
【００８８】
＜第６実施形態の変形例１＞
第２パターンに対応する場合、電圧検出装置２０は、図１３に示す第１ジャンパ９１及び第２ジャンパ９２を備えていればよい。なお、図１３において、先の図１２に示した構成と同一の構成については、便宜上、同一の符号を付している。
【００８９】
＜第６実施形態の変形例２＞
第１パターンに対応する場合、電圧検出装置２０は、図１４に示す第１ジャンパ１０１及び第２ジャンパ１０２を備えていればよい。なお、図１４において、先の図１２に示した構成と同一の構成については、便宜上、同一の符号を付している。
【００９０】
＜第７実施形態＞
以下、第７実施形態について、第１，第４実施形態との相違点を中心に図面を参照しつつ説明する。本実施形態では、第１〜第３パターンに対応できる構成とする。特に本実施形態では、図１５に示すように、第１パターンに対応した構成とする。なお、図１５において、先の図１，図１０に示した構成と同一の構成については、便宜上、同一の符号を付している。
【００９１】
第５，第９，第１１中間接続部ＭＭ５，ＭＭ９，ＭＭ１１には、第１副入力側経路ＫＳ１が接続されている。この接続態様は、各検出ブロックのパターンが第２パターンであると仮定した場合における各検出ブロックＡ１〜Ａ７のうち、最も低電位側から数えて奇数番目であってかつ３番目以降の検出ブロックＡ３，Ａ５，Ａ７の正極端子に対応する中間接続部が第１副入力側経路ＫＳ１に接続されていることに相当する。
【００９２】
第４，第９，第１１中間接続部ＭＭ４，ＭＭ９，ＭＭ１１には、第１副入力側経路ＫＳ１が接続されている。この接続態様は、各検出ブロックのパターンが第３パターンであると仮定した場合における各検出ブロックＡ１〜Ａ６のうち、最も低電位側から数えて偶数番目の検出ブロックＡ２，Ａ４，Ａ６の正極端子に対応する中間接続部が第１副入力側経路ＫＳ１に接続されていることに相当する。
【００９３】
第３，第７，第１０中間接続部ＭＭ３，ＭＭ７，ＭＭ１０には、第２副入力側経路ＫＳ２が接続されている。この接続態様は、各検出ブロックのパターンが第２パターンであると仮定した場合における各検出ブロックＡ１〜Ａ７のうち、最も低電位側から数えて偶数番目の検出ブロックＡ２，Ａ４，Ａ６の正極端子に対応する中間接続部が第２副入力側経路ＫＳ２に接続されていることに相当する。
【００９４】
第７，第１０中間接続部ＭＭ７，ＭＭ１０には、第２副入力側経路ＫＳ２が接続されている。この接続態様は、各検出ブロックのパターンが第３パターンであると仮定した場合における各検出ブロックＡ１〜Ａ６のうち、最も低電位側から数えて奇数番目であってかつ３番目以降の検出ブロックＡ３，Ａ５の正極端子に対応する中間接続部が第２副入力側経路ＫＳ２に接続されていることに相当する。
【００９５】
電圧検出装置２０は、第１ジャンパ１１１及び第２ジャンパ１１２を備えている。第１主入力側経路ＫＭ１と第１出力側経路ＬＯ１との間は、第１ジャンパ１１１により接続されている。第２主入力側経路ＫＭ２と第１出力側経路ＬＯ１との間は、第２ジャンパ１１２により接続されている。
【００９６】
以上説明した本実施形態によれば、図１２に示した構成よりも電気経路（配線）の数を減らしつつ、第２，第３パターンにも対応できる構成を流用して第１パターンに対応した電圧検出を実施できる。このため、電圧検出装置２０を構成する部品の共通化を図ることができる。
【００９７】
＜第８実施形態＞
以下、第８実施形態について、第７実施形態との相違点を中心に図面を参照しつつ説明する。本実施形態では、図１６に示すように、第２パターンに対応したジャンパの設置態様に変更する。なお、図１６において、先の図６，図１５に示した構成と同一の構成については、便宜上、同一の符号を付している。
【００９８】
電圧検出装置２０は、第１〜第４ジャンパ１２１〜１２４を備えている。
【００９９】
第１副入力側経路ＫＳ１と第１出力側経路ＬＯ１との間は、第１ジャンパ１２１により接続されている。第２副入力側経路ＫＳ２と第１出力側経路ＬＯ１との間は、第２ジャンパ１２２により接続されている。
【０１００】
各中間接続部ＭＭ１〜ＭＭ１１のうち最も低電位側から数えて２番目の第２中間接続部ＭＭ２と第１副入力側経路ＫＳ１との間は、第３ジャンパ１２３により接続されている。各中間接続部ＭＭ１〜ＭＭ１１のうち最も低電位側の第１中間接続部ＭＭ１と第２副入力側経路ＫＳ２との間は、第４ジャンパ１２４により接続されている。
【０１０１】
以上説明した本実施形態によれば、配線の数を減らしつつ、第２パターンに対応した電圧検出を実施できる。
【０１０２】
＜第９実施形態＞
以下、第９実施形態について、第７実施形態との相違点を中心に図面を参照しつつ説明する。本実施形態では、図１７に示すように、第３パターンに対応したジャンパの設置態様に変更する。なお、図１７において、先の図９，図１５に示した構成と同一の構成については、便宜上、同一の符号を付している。
【０１０３】
電圧検出装置２０は、第１〜第４ジャンパ１３１〜１３４を備えている。
【０１０４】
第１副入力側経路ＫＳ１と第１出力側経路ＬＯ１との間は、第１ジャンパ１３１により接続されている。第２副入力側経路ＫＳ２と第２出力側経路ＬＯ２との間は、第２ジャンパ１３２により接続されている。
【０１０５】
各中間接続部ＭＭ１〜ＭＭ１１のうち最も低電位側から数えて２番目の第２中間接続部ＭＭ２と第２副入力側経路ＫＳ２との間は、第３ジャンパ１３３により接続されている。各中間接続部ＭＭ１〜ＭＭ１１のうち最も低電位側の第１中間接続部ＭＭ１と第１副入力側経路ＫＳ１との間は、第４ジャンパ１３４により接続されている。
【０１０６】
以上説明した本実施形態によれば、配線の数を減らしつつ、第３パターンに対応した電圧検出を実施できる。
【０１０７】
＜その他の実施形態＞
なお、上記各実施形態は、以下のように変更して実施してもよい。
【０１０８】
・ジャンパとしては、チップ状のものに限らず、例えば、ピン状のジャンパピン、又はジャンパ線であってもよい。
【０１０９】
・各電池モジュールの定格電圧が異なっていてもよい。
【０１１０】
・各電池モジュールＢ１〜Ｂ１０としては、図２に示したように一体化されているものに限らない。例えば、各電池モジュールＢ１〜Ｂ１０を分割したそれぞれが車両の各スペースに分散配置されていてもよい。
【符号の説明】
【０１１１】
１０…組電池、２０…電圧検出装置、２１…キャパシタ、２３…差動増幅回路、３１〜３９…第１〜第９ジャンパ、Ｋ１，Ｋ２…第１，第２主経路、Ｂ１〜Ｂ１０…第１〜第１０電池モジュール、Ｔ１〜Ｔ１１…第１〜第１１検出用端子、ＬＩ１〜ＬＩ１１…第１〜第１１入力側接続部、ＭＭ１〜ＭＭ１１…第１〜第１１中間接続部、ＳＷ１〜ＳＷ１１…第１〜第１１入力側スイッチ、２２ａ，２２ｂ…第１，第２出力側スイッチ。
【図１】
2019090659.tif 000003
【図２】
2019090659.tif 000004
【図３】
2019090659.tif 000005
【図４】
2019090659.tif 000006
【図５】
2019090659.tif 000007
【図６】
2019090659.tif 000008
【図７】
2019090659.tif 000009
【図８】
2019090659.tif 000010
【図９】
2019090659.tif 000011
【図１０】
2019090659.tif 000012
【図１１】
2019090659.tif 000013
【図１２】
2019090659.tif 000014
【図１３】
2019090659.tif 000015
【図１４】
2019090659.tif 000016
【図１５】
2019090659.tif 000017
【図１６】
2019090659.tif 000018
【図１７】
2019090659.tif 000019